(57)【要約】【課題】  本発明の目的は、複数の通信システムを送受信できる端末において、各通信システムの通信状態を検出する手段を設け、最も通信状態の良好な通信システムを選択することで信頼性の高い安定な通信を行える無線通信装置を提供することにある。【解決手段】  複数の通信システムに対応した送受信部とを備えた無線通信装置において、各通信システムの受信状態を検出する手段と、検出された受信状態に基づいて最も良好な受信状態が得られる通信システムを選択する手段を備え、選択された最も良好な受信状態が得られる通信システムを用いてデータを送受信する。【選択図】  図１
2006254508.tif 000002
【特許請求の範囲】
【請求項１】
複数の通信システムに対応した送受信部とを備えた無線通信装置において、各通信システムの受信状態を検出する手段と、検出された受信状態に基づいて最も良好な受信状態が得られる通信システムを選択する手段を備え、選択された最も良好な受信状態が得られる通信システムを用いてデータを送受信することを特徴とする無線通信装置。
【請求項２】
複数の通信システムに対応した送受信部を備えた無線通信装置において、各通信システムの受信ＳＮを検出する手段と、検出された受信ＳＮに基づいて最も高い受信ＳＮが得られる通信システムを選択する手段を備え、選択された最も高い受信ＳＮが得られる通信システムを用いてデータを送受信することを特徴とする無線通信装置。
【請求項３】
複数の通信システムに対応した送受信部を備えた無線通信装置において、各通信システムの消費電力および受信ＳＮを検出する手段と、検出された消費電力および受信ＳＮに基づいて最も所要ＳＮ以上の受信ＳＮが得られ、最も消費電力が低い通信システムを選択する手段を備え、選択された所要ＳＮ以上の受信ＳＮが得られ、最も消費電力が低い通信システムを用いてデータを受信し、最も消費電力が低い通信システムを用いてデータを送信することを特徴とする無線通信装置。
【請求項４】
複数の通信システムに対応した送受信部を備えた無線通信装置において、各通信システムのバッテリーの残充電量および受信ＳＮを検出する手段と、検出されたバッテリーの残充電量および受信ＳＮに基づいてバッテリーの残充電量が基準値よりも多い場合は最も高い受信ＳＮが得られる通信システムを選択し、バッテリーの残充電量が基準値よりも少ない場合は最も消費電力が低い通信システムを選択する手段を備え、バッテリーの残充電量が基準値よりも多い場合は最も高い受信ＳＮが得られる通信システムを用いてデータの送受信を行い、バッテリーの残充電量が基準値よりも少ない場合は最も消費電力が低い通信システムを用いてデータの送受信をすることを特徴とする無線通信装置。
【請求項５】
受信部にアナログ高周波信号を処理するアナログ部とアナログ信号をデジタル信号に変換するAD変換器とデジタル信号を処理する復調部を備えた無線通信装置において、AD変換器の入力信号振幅を検波する検波器を備え、検波器の検波レベルに応じてAD変換器の量子化ビット数と復調部の処理ビット数を変えることを特徴とする無線通信装置。
【請求項６】
受信部にアナログ高周波信号を処理するアナログ部とアナログ信号をデジタル信号に変換するAD変換器とデジタル信号を処理する復調部を備えた無線通信装置において、AD変換器の出力信号振幅を検波する検波器を備え、検波器の検波レベルに応じてAD変換器の量子化ビット数と復調部の処理ビット数を変えることを特徴とする無線通信装置。
【請求項７】
複数の通信システムに対応した送受信部を備え、受信部にアナログ高周波信号を処理するアナログ部とアナログ信号をデジタル信号に変換するAD変換器とデジタル信号を処理する復調部を備えた無線通信装置において、各通信システムのAD変換器の入力信号振幅あるいは出力信号振幅を検波する検波器を備え、最も信号振幅が小さい通信システムを用いてデータを送受信し、検波器の検波レベルに応じてAD変換器の量子化ビット数と復調部の処理ビット数を変えることを特徴とする無線通信装置。
【請求項８】
請求項２、３記載の無線通信装置において、送受信開始時に各通信システムの受信ＳＮを検出し、その結果に基づいて通信システムを選択することを特徴とする無線通信装置。
【請求項９】
請求項２、３記載の無線通信装置において、送受信開始時と送受信開始から一定時間ごとに各通信システムの受信ＳＮを検出し、その結果に基づいて通信システムを選択することを特徴とする無線通信装置。
【請求項１０】
請求項４記載の無線通信装置において、送受信開始時に各通信システムの受信ＳＮと消費電力を検出し、その結果に基づいて通信システムを選択することを特徴とする無線通信装置。
【請求項１１】
請求項４記載の無線通信装置において、送受信開始時と送受信開始から一定時間ごとに各通信システムの受信ＳＮと消費電力を検出し、その結果に基づいて通信システムを選択することを特徴とする無線通信装置。
【発明の詳細な説明】
【技術分野】
【０００１】
本発明はデジタル変調された信号を送受信する無線通信装置に係り、複数の通信システムが混在するエリアにおいて、通信の信頼性向上に最適な無線通信装置に関する。
【背景技術】
【０００２】
複数の通信システムの信号を送受信する無線通信装置の例として、第１の文献である特開２０００-１３２７４号「マルチモード無線装置」がある。この文献ではWCDMAとPDCの共用化について記載されており、直交変調器と電力制御増幅器を共用することで送受信端末の小型、軽量、低消費電力化をはかるものである。また、第２の文献として特開２００１-１０３５４９“携帯端末のネットワークシステム”がある。この文献では、PDCやCDMAを用いた通信端末とBluetooth（エリクソン社の登録商標）を用いた小電力通信が可能な端末について記載しており、小電力通信を優先して行うことで通信料金の低減を図るものである。一方、第３の文献として２.４GHz帯無線LANの例が信学技報CS２００１-１００  P４３“無線LANネットワークにおける通信周波数切替え管理手法”に述べられている。これは干渉妨害を避け、安定した通信を行うために２.４GHz帯において通信周波数を動的に変更するものである。このように従来技術は複数の通信システムの受信や干渉妨害を避けるための通信手法に関するものである。
【発明の開示】
【発明が解決しようとする課題】
【０００３】
第１の文献は複数の通信システムの送受信回路共用化について記載しているが、通信システムの選択と低消費電力化については述べられていない。第２の文献の小電力通信部は常に動作しており、第１の文献同様、通信システムの選択については述べられていない。第３の文献は２.４GHz帯の限られた周波数範囲で周波数を切替えて受信性能の安定化を図るものであり、第１の文献同様、通信システムの選択と低消費電力化については述べられていない。
【０００４】
携帯電話や無線LANで使用する周波数帯域は高くなってきており、また、通信速度も高速化されることから送受信端末の消費電力は増大する方向にある。したがって図１２に示すような複数の通信システムが混在するエリアにおいてはどの通信システムを用いて通信を行うかを選択する必要があり、受信ＳＮや消費電力を考慮して選択することが重要な課題となる。また、複数の通信システムからの妨害を考慮すると消費電力は増大するが、この場合の低消費電力化も課題である。
【０００５】
本発明の目的は、複数の通信システムを送受信できる端末において、各通信システムの通信状態を検出する手段を設け、最も通信状態の良好な通信システムを選択することで信頼性の高い安定な通信を行える無線通信装置を提供することにある。
【課題を解決するための手段】
【０００６】
上記目的を達成するために、本願の第１の発明は、複数の通信システムに対応した送受信部とを備えた無線通信装置において、各通信システムの受信状態を検出する手段と、検出された受信状態に基づいて最も良好な受信状態が得られる通信システムを選択する手段を備え、選択された最も良好な受信状態が得られる通信システムを用いてデータを送受信することを特徴とするものである。
【０００７】
本願の第２の発明は、複数の通信システムに対応した送受信部を備えた無線通信装置において、各通信システムの受信ＳＮを検出する手段と、検出された受信ＳＮに基づいて最も高い受信ＳＮが得られる通信システムを選択する手段を備え、選択された最も高い受信ＳＮが得られる通信システムを用いてデータを送受信することを特徴とするものである。
【０００８】
本願の第３の発明は、複数の通信システムに対応した送受信部を備えた無線通信装置において、各通信システムの消費電力および受信ＳＮを検出する手段と、検出された消費電力および受信ＳＮに基づいて最も所要ＳＮ以上の受信ＳＮが得られ、最も消費電力が低い通信システムを選択する手段を備え、選択された所要ＳＮ以上の受信ＳＮが得られ、最も消費電力が低い通信システムを用いてデータを受信し、最も消費電力が低い通信システムを用いてデータを送信することを特徴とするものである。
【０００９】
本願の第４の発明は、複数の通信システムに対応した送受信部を備えた無線通信装置において、各通信システムのバッテリーの残充電量および受信ＳＮを検出する手段と、検出されたバッテリーの残充電量および受信ＳＮに基づいてバッテリーの残充電量が基準値よりも多い場合は最も高い受信ＳＮが得られる通信システムを選択し、バッテリーの残充電量が基準値よりも少ない場合は最も消費電力が低い通信システムを選択する手段を備え、バッテリーの残充電量が基準値よりも多い場合は最も高い受信ＳＮが得られる通信システムを用いてデータの送受信を行い、バッテリーの残充電量が基準値よりも少ない場合は最も消費電力が低い通信システムを用いてデータの送受信をすることを特徴とするものである。
【００１０】
本願の第５の発明は、受信部にアナログ高周波信号を処理するアナログ部とアナログ信号をデジタル信号に変換するAD変換器とデジタル信号を処理する復調部を備えた無線通信装置において、AD変換器の入力信号振幅を検波する検波器を備え、検波器の検波レベルに応じてAD変換器の量子化ビット数と復調部の処理ビット数を変えることを特徴とするものである。
【００１１】
本願の第６の発明は、受信部にアナログ高周波信号を処理するアナログ部とアナログ信号をデジタル信号に変換するAD変換器とデジタル信号を処理する復調部を備えた無線通信装置において、AD変換器の出力信号振幅を検波する検波器を備え、検波器の検波レベルに応じてAD変換器の量子化ビット数と復調部の処理ビット数を変えることを特徴とするものである。
【発明の効果】
【００１２】
本発明によれば、複数の通信システムを送受信できる端末において、各通信システムの通信状態を検出する手段を設け、最も通信状態の良好な通信システムを選択することで信頼性の高い安定な通信を行える無線通信装置を得ることができる。
【発明を実施するための最良の形態】
【００１３】
以下、本発明の実施の形態を図１〜図１２により説明する。
携帯電話はPDCやGSM等の第２世代方式の他、WCDMAやcdma２０００等の第３世代携帯電話方式（IMT-２０００）が標準化されており、高伝送レートの第４世代携帯電話方式も研究されている。また、無線LANは２.４GHz帯を用いたIEEE８０２.１１bやIEEE８０２.１１g，５GHz帯を用いたIEEE８０２.１１aなどの方式が屋内、屋外のホットスポットで利用されつつある。このように多くの無線通信システムが稼動または稼動しつつあり、複数の通信システムを送受信できる端末が必要となってきている。
【００１４】
図１２に複数の通信システムが混在するエリアの例を示す。基地局１、基地局２はセルラー方式携帯電話の基地局であり、広い通信エリア６および７を持つ。基地局１、基地局２で使用する通信システムは例えばWCDMA方式と第４世代携帯電話方式のように異なった通信システムを用いている。一方、アクセスポイント３とアクセスポイント４は無線LANのアクセスポイントであり、ホットスポット的な比較的狭い通信エリア８および９を持つ。アクセスポイント３,４で用いる通信方式は例えばIEEE８０２.１１aとIEEE８０２.１１gのように異なった通信方式を用いている。基地局１は携帯電話網１０を介して、基地局２は携帯電話網１１を介して、アクセスポイント３は無線LAN網１３を介して、アクセスポイント４は無線LAN網１２を介してそれぞれインターネット接続され、コンテンツサーバ１５からのデータを端末に提供する。図１２の例では受信端末５は基地局２の通信システム３７とアクセスポイント４の通信システム３８からの信号を受信可能である。本実施の形態の無線通信装置はこのような環境で用いられるものである。以下の実施の形態においては、複数の通信システムに対応した送受信部とを備えた無線通信装置において、各通信システムの受信状態として受信ＳＮ、消費電力、バッテリー残充電量、入力信号振幅、出力信号振幅などを検出して、検出された受信状態に基づいて最も良好な受信状態が得られる通信システムを用いてデータを送受信するものである。
【００１５】
本発明の第１の実施の形態を図１〜図４により説明する。図１に示すように、本実施の形態は信号を送受信するアンテナ１６、送受信信号を分離する送受分離部３０、複数の通信システムを受信できる受信部５３、複数の通信システムを送信できる送信部５４、および受信部５３と送信部５４とを制御するＣＰＵ２９より構成される。アンテナ１６で受信された高周波信号は、送受分離部３０で受信信号が選択されて受信部５３に入力され、送信部５４からの送信信号は送受信分離部３０で送信信号が選択されてアンテナ１６より送信される。通信システムの送受信信号多重方式がFDMA（Frequency  Division  Multiplex  Access：周波数分割多重方式）の場合は送受分離部３０は送信、受信信号帯域を分離するためのフィルタ機能を持つものとし、送受信信号多重方式がTDMA（Time  Division  Multiplex  Access：時間分割多重方式）の場合は送受分離部３０は送信、受信信号を切り替える機能を持つものとする。本実施の形態は複数の通信システムの受信ＳＮを検出し、受信ＳＮが最も高い通信システムを選択して通信を行うものである。
【００１６】
始めに受信部５３について説明する。受信部５３はアナログ高周波部１７、AD変換器２５、復調処理部２７より構成される。本実施の形態では３つの通信システムに対応してアナログ高周波部１７には高周波信号処理部１８,１９,２０が設けられており、受信する通信システムに応じてＣＰＵ２９からの制御信号３５により切替えられる。アナログ高周波部１７の出力はAD変換器２５でデジタル信号に変換され、復調処理部２７に入力される。復調処理部２７は各通信システムに対応した復調部５５,５６,５７が設けられており、受信する通信システムに応じてＣＰＵ２９からの制御信号３１により切替えられる。各復調部５５,５６,５７はデジタルフィルタ、同期再生、ＳＮ検出部等から構成され、復調処理がなされ、各通信システムの受信ＳＮが検出される。次に送信部５４について説明する。送信部５４は変調処理部２８、DA変換器２６、高周波送信部２１から構成される。変調処理部２８には３つの通信システムに対応した変調部５８,５９,６０が設けられており、送信する通信システムに応じてＣＰＵ２９からの制御信号３２により切替えられる。変調処理部３２の出力はDA変換器２６でアナログ信号に変換され、高周波送信部２１に入力される。高周波送信部３６には送信部２２,２３,２４が設けられており、送信する通信システムに応じてＣＰＵ２９からの制御信号３６により切替えられる。高周波送信部２１の出力信号は送受分離部３０を介してアンテナ１６より送信される。
【００１７】
本実施の形態は復調部５５,５６,５７で各通信システムの受信ＳＮを検出し、最もＳＮの高い通信システムに対応した通信システムを用いて送受信を行う。つまり、高周波信号処理部１８,１９,２０は制御バス３５により、復調部５５,５６,５７は制御バス３１により、変調部５８,５９,６０は制御バス３２により、送信部２２,２３,２４は制御バス３６によりそれぞれ最も受信ＳＮの高い通信システムに対応した回路部が選択される。本実施の形態によれば、ＣＰＵ２９により最も受信ＳＮの高い通信システムを選択し、この通信システムを用いて通信を行うことにより、安定な送受信を実現することができる。本実施の形態では選択する通信システムは３つの場合について記載しているが、これに限るものではなく、通信システムに対応した高周波信号処理部、復調部、変調部、送信部を備えればさらに多くの通信システムにも対応可能である。
【００１８】
図２に第１の実施の形態で示した復調処理部２７の構成を示す。３つの通信システムとして通信システムA,B,Cを考え、通信システムAを復調する復調部５５、通信システムBを復調する復調部５６、通信システムCを復調する復調部５７および各通信システムのＳＮを比較するＳＮ比較器４５からなり、復調部５５は同期復調部３９と受信ＳＮ検出部４２、復調部５６は同期復調部４０と受信ＳＮ検出部４３、復調部５７は同期復調部４１と受信ＳＮ検出部４４で構成される。各通信システムの受信ＳＮ検出部５５,５６,５７からのＳＮ検出結果をＳＮ比較器４５で比較し、最もＳＮの高いシステムを判定し、制御バス３１を介してＣＰＵ２９に判定データを入力する。判定データに基づいてＣＰＵ２９から制御バス３１により選択する通信システムの復調部、制御バス３５により選択する通信システムの高周波信号処理部、制御バス３２により選択する通信システムの変調部、制御バス３６により選択する通信システムの送信部がそれぞれ選択される。
【００１９】
本実施の形態において、ＳＮ検出用の各通信システムの受信信号としては以下のものが考えられる。通信システムとしてセルラー方式携帯電話を用いる場合は、基地局から常時発信されるエリア信号を受信して受信ＳＮを検出することができる。また、通信システムとして無線LANを用いる場合は端末からの認証要求に対してアクセスポイントから送信されるチャレンジテキストを受信して受信ＳＮを検出することができる。なお、各通信システムの受信ＳＮを検出する受信信号はこれに限るものではない。
【００２０】
図３に各通信システムのＳＮ検出タイミング例を示す。（a）は通信開始時に通信システムA、通信システムB，通信システムCの順にＳＮを検出し、Aの受信ＳＮが最も高かった場合通信システムAを用いてデータ受信を行うものである。（b）は同様に通信開始時に通信システムA、通信システムB，通信システムCの順にＳＮを検出し、Aの受信ＳＮが最も高かった場合通信システムAを用いてデータ受信を行い、ある一定周期でＳＮ検出とデータ受信を繰り返すものである。したがって常にAの受信ＳＮが最も高いとは限らず、図においては２回目のＳＮ検出ではCの通信システムのＳＮが高いとして通信システムCを用いてデータ受信を行う例としている。（a）の方式ではＳＮ検出は通信開始時だけのため効率よい通信が行えるが時間的に受信ＳＮが変動する場合に受信ＳＮが劣化することが考えられる。これに対し、（b）の方式は一定周期で繰り返しＳＮを検出して通信システムの選択を行うためデータのスループットは低下するが、時間的にＳＮが変動する場合でも良好な受信状態を保つことができる。
【００２１】
図４に本実施の形態の通信手順のフローチャートを示す。（a）のフローチャートは図３の（a）のＳＮ検出方法を用いる場合であり、（b）のフローチャートは図３の（b）のＳＮ検出方法を用いる場合である。始めに（a）のフローチャートを説明する。送受信開始後、基地局から発信されるエリア信号あるいはアクセスポイントから送信されるチャレンジテキスト等を通信システム毎に受信して各通信システムの受信ＳＮを検出する。各通信システムの受信ＳＮを比較し、最もＳＮの高い通信システムを選択してデータ送受信を開始する。（b）のフローチャートはデータ送受信開始までは（a）のフローチャートと同じであるが、データ送受信から一定時間経過後に再度各通信システムの受信ＳＮを比較し、最もＳＮの高い通信システムを選択し直す。この動作を送受信終了まで繰り返すものである。
【００２２】
本発明の第２の実施の形態を図５、図６を用いて説明する。本実施の形態の構成を図５に示す。図５において図２と同一番号が付されたブロックは第１の実施の形態と同一機能を持つブロックであるので説明を省略する。本実施の形態は３つの通信システムに対応して、アナログ高周波部１７の高周波信号処理部１８,１９,２０で消費する消費電力を検出する検出部４６,４７,４８、復調処理部２７の復調部５５,５６,５７で消費する消費電力を検出する検出部６１,６２,６３、変調処理部３２の変調部５８,５９,６０で消費する消費電力を検出する検出部６４,６５,６６、高周波送信部３６の送信部２２,２３,２４で消費する消費電力を検出する検出部４９,５０,５１を備えたことを特徴とする。受信系では各通信システムの受信ＳＮが通信可能な所要ＳＮ以上であるかを復調部５５,５６,５７で判定し、所要ＳＮ以上であれば消費電力検出部４６,４７,４８,６１,６２,６３からの情報に基づき最も消費電力の小さい通信システムに対応した高周波信号処理部と復調部を、ＣＰＵ２９からの制御バス３１,３５により選択してデータ受信を行う。送信系では消費電力検出部４９,５０,５１,６４,６５,６６からの情報に基づき最も消費電力の小さい通信システムに対応した変調部と送信部を、ＣＰＵ２９からの制御バス３２,３６により選択してデータ送信を行う。
【００２３】
本実施の形態によれば、消費電力検出部を備え、最も消費電力の小さい通信システムを用いて送受信を行うことで低消費電力化が可能である。本実施の形態では選択する通信システムは３つの場合について記載しているが、これに限るものではなく、通信システムに対応した高周波信号処理部、復調部、変調部、送信部を備えればさらに多くの通信システムにも対応可能である。
【００２４】
本発明第２の実施の形態のフローチャートを図６に示す。（a）は受信系のフローチャートであり、（b）は送信系のフローチャートを示す。始めに（a）のフローチャートを説明する。受信開始後、基地局から発信されるエリア信号あるいはアクセスポイントから送信されるチャレンジテキスト等を通信システム毎に受信して各通信システムの受信ＳＮを検出する。各通信システムの受信ＳＮと所要ＳＮを比較して受信システムが所要ＳＮ以上であれば各通信システムの消費電力を比較し、最も消費電力の低い通信システムを選択してデータ受信を開始する。（b）のフローチャートは、各通信システムの送信電力を検出して各通信システムの消費電力を比較する。この結果最も低い消費電力の通信システムを選択してデータ送信を開始する。
【００２５】
本発明第３の実施の形態を図７に示す。図７で図５と同一番号が付されたブロックは第２の実施の形態と同一機能を持つブロックであるため説明を省略する。本実施の形態はバッテリー５２の充電残量を検出し、充電残量が基準値以上であれば受信系の通信システムは受信ＳＮの最も高いシステムを選択し、充電残量が基準値以下の場合は受信系の通信システムは消費電力の最も低いシステムを選択することを特徴としたものである。本実施の形態によれば、充電残量が多いときには受信ＳＮの高い通信システムを選択することで安定なデータ受信が可能となる。また、充電残量が少ないときには消費電力の低いシステムを選択することでデータ受信期間を長くすることができる。
【００２６】
図８に本発明の第３の実施の形態の受信系のフローチャートを示す。受信開始後、基地局から発信されるエリア信号あるいはアクセスポイントから送信されるチャレンジテキスト等を通信システム毎に受信して各通信システムの受信ＳＮを検出する。各通信システムの受信ＳＮと所要ＳＮを比較して受信システムが所要ＳＮ以上であれば各通信システムの消費電力を比較し、次にバッテリーの充電残量を検出する。バッテリー残量が多い場合は、受信ＳＮの高い通信システムを選択してデータ受信を開始する。一方、バッテリー残量が少ない場合は最も消費電力の低い通信システムを選択してデータ受信を開始する。
【００２７】
図９に本発明の第４の実施の形態を示す。図９で図１と同じ番号が付けられたブロックは第１の実施の形態と同一ブロックであるため説明を省略する。本実施の形態ではアナログ高周波部１７の出力部の振幅検波部７６でAD変換器２５に入力される信号振幅のRMS値を検波し、検波レベルに応じて制御バス３５、ＣＰＵ２９，制御バス３３,３１を介してAD変換器２５の量子化ビット数と復調処理部５５の処理ビット数を制御する。本実施の形態は復調処理部５５での信号検波レベルで高周波信号処理部１８の利得を制御する一般的なAGCシステムを仮定しており、この場合妨害信号がほとんどない受信環境の場合はAD変換器２５に入力される信号振幅のRMS値はほぼ一定である。
【００２８】
妨害信号がある受信環境では、振幅検波部７６での検波レベルは妨害信号が大きければ検波レベルが高くなり、妨害レベルが小さければ検波レベルが低くなる。振幅検波部７６での検波レベルが高い場合はAD変換器２５の量子化ビット数と復調処理部５５の処理ビット数を増やし、逆に振幅検波部７６での検波レベルが低い場合はAD変換器２５の量子化ビット数と復調処理部５５の処理ビット数を減少させるように処理ビット数を適応的に変化させる。特に復調処理部５５では、デジタルフィルタ部６７の処理ビット数やタップ数を変化させることが考えられる。AD変換器２５や復調処理部５５では量子化ビット数や処理ビット数が小さいほうが低消費電力であることから、本実施の形態ではビット数を適応的に変化させることで低消費電力化が可能である。本実施の形態では選択する通信システムは３つの場合について記載しているが、これに限るものではなく、通信システムに対応した高周波信号処理部、復調部、変調部、送信部を備えればさらに多くの通信システムにも対応可能である。
【００２９】
本発明第５の実施の形態を図１０に示す。図１０で図９と同じ番号が付けられたブロックは第４の実施の形態と同一ブロックであるため説明を省略する。本実施の形態ではAD変換器２５の出力部の振幅検波部７３でAD変換器２５の出力信号振幅のRMS値を検波し、検波レベルに応じて制御バス３５、ＣＰＵ２９，制御バス３３,３１を介してAD変換器２５の量子化ビット数と復調処理部５５の処理ビット数を制御する。振幅検波部７６での検波レベルは妨害信号が大きければ検波レベルが高くなり、妨害レベルが小さければ検波レベルが低くなる。振幅検波部７３での検波レベルが高い場合はAD変換器２５の量子化ビット数と復調処理部５５の処理ビット数を増やし、逆に振幅検波部７６での検波レベルが低い場合はAD変換器２５の量子化ビット数と復調処理部５５の処理ビット数を減少させるようにビット数を適応的に変化させる。特に復調処理部５５のデジタルフィルタ部６７の処理ビット数やタップ数を変化させる。AD変換器２５や復調処理部５５では量子化ビット数や処理ビット数が小さいほうが低消費電力であることから、本実施の形態ではビット数を適応的に変化させることで低消費電力化が可能である。本実施の形態では選択する通信システムは３つの場合について記載しているが、これに限るものではなく、通信システムに対応した高周波信号処理部、復調部、変調部、送信部を備えればさらに多くの通信システムにも対応可能である。
【００３０】
本発明第６の実施の形態を図１１に示す。図１１で図１および図９と同じ番号が付けられたブロックは第１の実施の形態および第４の実施の形態と同一ブロックであるので説明を省略する。図１１では各通信システムの高周波信号処理部１８,１９,２０の出力部に振幅検波部７６、７７,７８を設け、AD変換器２５に入力される信号振幅のRMS値を検波する。本実施の形態は復調処理部５５,５６,５７での信号検波レベルで高周波信号処理部１８,１９,２０の利得を制御する一般的なAGCシステムを仮定しており、この場合妨害信号がほとんどない受信環境の場合はAD変換器２５に入力される信号振幅のRMS値は各通信システムによらずほぼ一定である。振幅検波部７６、７７,７８での検波レベルは妨害信号が大きければ検波レベルが高くなり、妨害レベルが小さければ検波レベルが低くなる。振幅検波部７６、７７,７８での検波レベルが最も低い通信システムを選択して制御バス８２、ＣＰＵ２９，制御バス３５,３１を介して高周波信号処理部１８,１９,２０と復調処理部５５、５６,５７を選択した通信システムに応じて選ぶ。また、同時に制御バス８２、ＣＰＵ２９，制御バス３３,３１を介してAD変換器２５の量子化ビット数と復調処理部の処理ビット数を制御する。AD変換器２５に入力される信号振幅が小さければ所要ビット数が小さくなるため、信号振幅が小さい通信システムを選択することでビット数の低減が行え、低消費電力化に効果がある。
【００３１】
本実施の形態では選択する通信システムは３つの場合について記載しているが、これに限るものではなく、通信システムに対応した高周波信号処理部、復調部、変調部、送信部を備えればさらに多くの通信システムにも対応可能である。本実施の形態では、振幅検波部７６、７７,７８をAD変換器２５の前段に設け、AD変換器２５に入力される信号振幅のRMS値を検波する方式であるが、振幅検波部をAD変換器２５の後段に設け、AD変換器２５から出力される信号振幅のRMS値を検波する方式でも同様の効果が得られる。
【００３２】
以上の実施の形態によれば、複数の通信システムを送受信できる端末において、各通信システムの受信ＳＮを検出する手段を設け、最も受信ＳＮの高い通信システムを選択することで信頼性の高い安定な通信を行える効果がある。同様に各通信システムを送受信するための回路部の消費電力を検出する手段を設け、所要ＳＮ以上で消費電力の最も小さい通信システムを選択することで送受信の安定化と低消費電力化に効果がある。また、妨害レベルが大きい場合はAD変換器の入力あるいは出力振幅レベルのRMS値が高くなることから、この振幅レベルに応じて適応的にAD変換の量子化ビット数やデジタル信号処理回路の処理ビット数を制御する手段を設けることで低消費電力化に効果がある。
【図面の簡単な説明】
【００３３】
【図１】本発明の第１の実施の形態における無線通信装置の構成を示すブロック図である。
【図２】本発明の第１の実施の形態における無線通信装置の復調処理部の構成を示すブロック図である。
【図３】本発明の第１の実施の形態における無線通信装置のＳＮ検出タイミングを示す図で、同図（ａ）は通信開始時にＳＮを検出する例を示す図、同図（ｂ）は一定周期で繰り返しＳＮを検出する例を示す図である。
【図４】本発明の第１の実施の形態の通信手順の動作フローチャートで、同図（ａ）は通信開始時にＳＮを検出する例における動作フローチャート、同図（ｂ）は一定周期で繰り返しＳＮを検出する例における動作フローチャートである。
【図５】本発明の第２の実施の形態における無線通信装置の構成を示すブロック図である。
【図６】本発明の第２の実施の形態の動作フローチャートで、同図（ａ）は送信系のフローチャート、同図（ｂ）は受信系のフローチャートである。
【図７】本発明の第３の実施の形態の構成を示すブロック図である。
【図８】本発明の第３の実施の形態における無線通信装置の動作フローチャートである。
【図９】本発明の第４の実施の形態における無線通信装置の構成を示すブロック図である。
【図１０】本発明の第５の実施の形態における無線通信装置の構成を示すブロック図である。
【図１１】本発明の第６の実施の形態における無線通信装置の構成を示すブロック図である。
【図１２】一般的な受信エリアの説明図である。
【符号の説明】
【００３４】
１,２…基地局、３,４…アクセスポイント、５…端末、６,７,８,９…受信エリア、１０,１１…携帯電話網、１２,１３…無線LAN網、１６…アンテナ、１７…アナログ高周波部、１８,１９,２０…高周波信号処理部、２１…高周波送信部、２２,２３,２４…送信部、２５…AD変換器、２６…DA変換器、２７…復調処理部、２８…変調処理部、５５,５６,５７…復調部、５８,５９,６０…変調部、２９…ＣＰＵ、３１,３２,３５,３６…制御バス、３０…送受分離部、５３…受信部、５４…送信部、６７,６８,６９…デジタルフィルタ、３９,４０,４１…同期復調部、４２,４３,４４…ＳＮ検出部、４５…比較部、４６,４７,４８,６１,６２,６３,  ４９,５０,５１,６４,６５,６６…消費電力検出部、５２…バッテリー、７６、７３,７７,７８…振幅検出部、８２,８３…制御
【図１】
2006254508.tif 000003
【図２】
2006254508.tif 000004
【図３】
2006254508.tif 000005
【図４】
2006254508.tif 000006
【図５】
2006254508.tif 000007
【図６】
2006254508.tif 000008
【図７】
2006254508.tif 000009
【図８】
2006254508.tif 000010
【図９】
2006254508.tif 000011
【図１０】
2006254508.tif 000012
【図１１】
2006254508.tif 000013
【図１２】
2006254508.tif 000014
【手続補正書】
【提出日】平成18年7月11日(2006.7.11)
【手続補正１】
【補正対象書類名】特許請求の範囲
【補正対象項目名】全文
【補正方法】変更
【補正の内容】
【特許請求の範囲】
【請求項１】
複数の通信システムに対応した無線通信装置を制御する制御方法であって、
各通信システムの受信状態に関する受信状態値を検出し、
前記無線通信装置のバッテリーの残充電量を検出し、
検出された受信状態値が所定以上である通信システムが複数ある場合、検出されたバッテリーの残充電量が基準値以上のときは前記受信状態値が所定以上以上の通信システムの中で最も受信状態値が高い通信システムを選択し、検出されたバッテリーの残充電量が基準値未満のときは前記受信状態値が所定以上以上の通信システムの中で最も消費電力が低い通信システムを選択し、
選択された通信システムを用いてデータを送受信するように制御することを特徴とする制御方法。
【請求項２】
複数の通信システムに対応した無線通信装置を制御する制御方法であって、
送受信開始時と送受信開始から一定時間ごとに各通信システムの受信状態に関する受信状態値を検出し、
検出された受信状態値が所定以上である通信システムが複数あるとき、受信状態値が所定以上以上の通信システムの中で最も消費電力が低い通信システムを選択し、
選択された通信システムを用いてデータを送受信するように制御することを特徴とする制御方法。
【請求項３】
請求項１または２に記載の受信状態値は、受信ＳＮ値であることを特徴とする制御方法。
【請求項４】
複数の通信システムに対応した送受信部とを備えた無線通信装置において、各通信システムの受信状態を検出する手段と、検出された受信状態に基づいて最も良好な受信状態が得られる通信システムを選択する手段を備え、選択された最も良好な受信状態が得られる通信システムを用いてデータを送受信することを特徴とする無線通信装置。